(57)【要約】【課題】高速で排紙されるシートであっても、排紙トレイ上からシートが飛び出ることなく、シート端の良好な整列性を得ることができるシート排紙装置を提供する。【解決手段】シート排紙手段と、シート排紙手段から順次排紙されてくるシートを収納する収納トレイと、を備えるシート排紙装置であって、収納トレイは、シート排紙方向下流側に設けられ、排紙されたシートの先端側中央部と当接する当接手段と、当接手段からさらにシート排紙方向下流側に設けられ、排紙されたシートの移動を阻止する阻止手段とを備えた。ここで、前記当接手段は、収納トレイのシート収納面から隆起した当接部を有し、前記阻止手段は、前記収納トレイのシート収納面から垂直方向に突出した阻止部を有する。【選択図】　　図３
2004026370.tif 000002
【特許請求の範囲】
【請求項１】
シート排紙手段と、前記シート排紙手段から順次排紙されてくるシートを収納する収納トレイと、を備えるシート排紙装置であって、
前記収納トレイは、
シート排紙方向下流側に設けられ、排紙されたシートの先端側中央部と当接する当接手段と、
前記当接手段からさらにシート排紙方向下流側に設けられ、排紙されたシートの移動を阻止する阻止手段と、を備えたことを特徴とするシート排紙装置。
【請求項２】
前記当接手段は、収納トレイのシート収納面から隆起した当接部を有し、
前記阻止手段は、前記収納トレイのシート収納面から垂直方向に突出した阻止部を有する、
ことを特徴とした請求項１に記載のシート排紙装置。
【請求項３】
シート排紙手段と、前記シート排紙手段から順次排紙されてくるシートを収納する収納トレイと、を備えるシート排紙装置であって、
前記収納トレイのシート排紙方向下流側中央部に形成され、排紙されたシートの先端と当接する傾斜面を有する当接部と、
前記当接手段からさらにシート排紙方向下流側に形成され、前記当接部の傾斜面を乗り越えたシートの先端が突き当たってシートの移動を阻止する阻止部と、を備えた収納トレイを有することを特徴とするシート排紙装置。
【請求項４】
前記当接部は、排紙方向に向かって上方に湾曲傾斜する傾斜面を有することを特徴とする請求項３に記載のシート排紙装置。
【請求項５】
前記阻止部は、前記排紙手段によるシート排紙位置よりも上方に延設された阻止面を有することを特徴とする請求項３に記載のシート排紙装置。
【請求項６】
前記収納トレイには、さらに、前記阻止部のシート排紙方向上流側に設けられ、シート排紙方向両端側を支持する二つの支持部が形成されたことを特徴とした請求項３に記載のシート排紙装置。
【請求項７】
前記支持部は、排紙方向に向かって上方に湾曲傾斜する傾斜面を有することを特徴とする請求項６に記載のシート排紙装置。
【請求項８】
所定の速度で搬送されるシートを読み取るための読取部と、前記読取部にシートを順次に給送する給紙手段と、前記読取部において読み取られたシートを所定の速度で排紙する排紙手段と、前記排紙手段により排紙されたシートを収納する収納トレイと、を備えた自動原稿送り装置であって、
前記収納トレイは、
シート排紙方向下流側中央部に形成され、排紙されたシートの先端と当接する傾斜面を有する当接部と、
前記当接部からさらにシート排紙方向下流側に形成され、前記当接部の傾斜面を乗り越えたシートの先端が突き当たってシートの移動を阻止する阻止部と、を備えたことを特徴とする自動原稿送り装置。
【請求項９】
前記当接部は、排紙方向に向かって上方に湾曲傾斜する傾斜面を有することを特徴とする請求項８に記載の自動原稿送り装置。
【請求項１０】
前記阻止部は、前記排紙手段によるシート排紙位置よりも上方に延設された阻止面を有することを特徴とする請求項８に記載の自動原稿送り装置。
【発明の詳細な説明】
【０００１】
【発明の属する技術分野】
本発明は、シート排紙手段から排紙されるシートを収納するシート排紙装置に関し、特に、シートを収納する収納トレイにシートを整列させるように構成されたシート収納装置及び当該シート収納装置を備える自動原稿送り装置に関する。
【０００２】
【従来の技術】
従来、複写機、ファクシミリ、画像読取装置に装備される自動原稿送り装置等には、印字処理や読取処理がなされたシートを収納するシート排紙装置が備えられている。
【０００３】
このシート排紙装置において、収納トレイに収納されるシートの整列性を少しでも向上させるために、収納トレイの収納面を上方に傾斜させて形成したものが知られている。
【０００４】
しかし、このように収納トレイ面を上方に傾斜させたものであっても、排出手段から排出されたのシート速度が速い場合には、シートが収納トレイの収納領域内から飛び出してしまう場合があった。
【０００５】
この問題を解決するために、収納トレイの収納面上において排紙されるシートの先端が突き当たる突当部材を設けたものが知られている。これによって、高速で排紙されるシートは突当部材に突き当たって収納されるため、排出されたシートが収納トレイの収納領域から飛び出ることは防止できる。
【０００６】
【発明が解決しようとする課題】
しかしながら、排紙されるシートは多少スキュー状態（斜行状態）で排紙されるので、突当部材の突当面には、シートの先端側が突き当たることとなる。
【０００７】
このようにシートの先端側が突当部材に突き当たると、シートは突き当たった部位を支点として回転しながら跳ね返ることとなるので、シートのスキュー状態によっては、跳ね返る方向又は跳ね返る距離が異なり、収納トレイに排紙したシートがバラついてしまってシート収納トレイ上に積載収納されるシート端の整合性が悪くなることがあった。
【０００８】
本願発明は、上記問題点に鑑みてなされたものであって、シート排出手段から排紙されるシートが、収納トレイ上からシートが飛び出ることなく、シート端の整列性に優れたシート排紙装置を提供する。
【０００９】
【課題を解決するための手段】
このため、本発明は、シート排紙手段と、前記シート排紙手段から順次排紙されてくるシートを収納する収納トレイと、を備えるシート排紙装置であって、前記収納トレイは、シート排紙方向下流側に設けられ、排紙されたシートの先端側中央部と当接する当接手段と、前記当接手段からさらにシート排紙方向下流側に設けられ、排紙されたシートの移動を阻止する阻止手段と、を備えたことを特徴とするシート排紙装置を提供するものである。ここで、前記当接手段は、収納トレイのシート収納面から隆起した当接部を有し、前記阻止手段は、前記収納トレイのシート収納面から垂直方向に突出した阻止部を有する。
【００１０】
また、本発明は、シート排紙手段と、前記シート排紙手段から順次排紙されてくるシートを収納する収納トレイと、を備えるシート排紙装置であって、前記収納トレイのシート排紙方向下流側中央部に形成され、排紙されたシートの先端と当接する傾斜面を有する当接部と、前記当接手段からさらにシート排紙方向下流側に形成され、前記当接部の傾斜面を乗り越えたシートの先端が突き当たってシートの移動を阻止する阻止部と、を備えた収納トレイを有することを特徴とするシート排紙装置を提供するものである。ここで、前記当接部は、排紙方向に向かって上方に湾曲傾斜する傾斜面を有している。
【００１１】
これにより、本シート排紙装置においては、収納トレイに排紙されるシートの略中央部が収納トレイの当接部に当接した後に、シートの端部が阻止面に突き当たってシートが停止されるので、高速でシートを排紙しても収納トレイに収納されるシートがばらつくことがなく、良好なシート整列性が得ることを可能としたのである。
【００１２】
そして、本収納トレイには、さらに良好なシート整列性を得るために、前記阻止部のシート排紙方向上流側に設けられ、シート排紙方向両端側を支持する二つの支持部が形成され、この支持部は、排紙方向に向かって上方に湾曲傾斜する傾斜面を有する。これにより、スキュー状態で排紙されたシートであっても、良好なシート整列性を得ることができるのである。
【００１３】
本発明は、さらに、所定の速度で搬送されるシートを読み取るための読取部と、前記読取部にシートを順次に給送する給紙手段と、前記読取部において読み取られたシートを所定の速度で排紙する排紙手段と、前記排紙手段により排紙されたシートを収納する収納トレイと、を備えた自動原稿送り装置であって、前記収納トレイは、シート排紙方向下流側中央部に形成され、排紙されたシートの先端と当接する傾斜面を有する当接部と、前記当接手段からさらにシート排紙方向下流側に形成され、前記当接部の傾斜面を乗り越えたシートの先端が突き当たってシートの移動を阻止する阻止部と、を備えたことを特徴とする自動原稿送り装置を提供するものである。
【００１４】
【発明の実施の形態】
以下、本発明のシート排紙装置及び自動原稿送り装置の実施の形態例を、図面を参照しつつ詳細に説明する。
【００１５】
図１は、画像読取装置の上に搭載された本自動原稿送り装置の全体構成の側面図を示すものである。図２は、図１に示した本自動原稿送り装置の要部の側面図を示すものである。
【００１６】
図１において、符号Ａは、画像読取装置本体Ｈに搭載された自動原稿送り装置であり、自動原稿送り装置Ａは、画像読取装置本体Ｈのコンタクトガラス１ａ上面を通過するようにシートを搬送する。
【００１７】
画像読取装置本体Ｈは、第１のコンタクトガラス１ａを介してランプ等の光源６からの光を搬送されるシートに照射し、その反射光をミラー７ａ、７ｂ、７ｃで反射させてレンズ８を介してＣＣＤなどの読取手段９により光電変換してシート画像を読み取る。従って、第１のコンタクトガラス１ａ上面が装置本体Ｈの読取部を構成している。なお、画像読取装置本体Ｈには、シートを載置可能な面積の第２のコンタクトガラス１ｂも備えられており、自動原稿送り装置Ａを開閉してコンタクトガラス１ｂ上に載置されたブック物等の厚いシートを光源６やミラー７ａ、７ｂ、７ｃなどからなる光源ユニットを副走査方向に移動させることによって、第２のコンタクトガラス１ｂを介してシートの画像を読み取ることもできるように構成されている。
【００１８】
次に、図１及び図２に基づき自動原稿送り装置Ａの構成について説明する。
【００１９】
自動原稿送り装置Ａは、読取部にシートを順次に給送する給紙手段と、読取部において読み取られたシートを所定の速度で排紙する排紙手段とで構成されている。排紙手段であるシート排紙装置４６には、第１の収納トレイ１８及び第２の収納トレイ１９が備えられており、この第１の収納トレイ１８は主に大サイズのシートを収納し、第２の収納トレイ１９は小サイズのシートを収納する。
【００２０】
収納トレイ１９のシート排紙方向の先端側には、シートの先端が突き当って移動が阻止される阻止部６１が形成されている。さらに阻止部６１のシート幅方向の略中央部には、排紙方向に向かって上方に湾曲傾斜する傾斜面を有するように当接部６２が形成されている。
【００２１】
自動原稿送り装置Ａの給送経路は、給紙トレイ上のシートを１枚ずつ第１のコンタクトガラス１ａに向けて給送する給紙経路１１と、給紙経路１１に連なって形成されてシートを第１のコンタクトガラス１ａの上面に沿って案内する搬送経路１２で構成されている。
【００２２】
給紙トレイ１０に載置されたシートは、サイドガイド２０でその側部が規制され、さらには案内ガイド２１で先端を規制されるようになっている。また、給紙トレイ１０は、シートの給紙方向の先端側を支点として、回動自在に取り付けられている。
【００２３】
また、給紙経路１１には、シートを繰り出す繰出ベルト２３、給紙トレイ１０上に載置されたシートの先端を上昇させてシートの最上面を繰出ベルト２３に接触させる昇降トレイ２２、繰出ベルト２３で繰り出されたシートを給送する給紙ローラ２４と最上位シートの１枚のみを通過して２枚目以降のシートの給送を阻止する分離ローラ２５からなる分離手段、昇降トレイ２２の先端と分離手段の間に設けられ、繰出ベルト２３により繰り出されたシートを案内するための傾斜面を有する案内ガイド手段である案内ガイド２１、分離手段で１枚に分離され給送されるシートの先端を突き当てて整合した後に下流側に送るレジストローラ対２６が配置されている。
【００２４】
この繰出ベルト２３と給紙ローラ２４は、給紙モータＭ１にワンウエイクラッチＯＷ１を介して連結されており、またレジストローラ対２６はワンウエイクラッチＯＷ２を介して給紙モータＭ１によって駆動連結される。これにより、給紙モータＭ１の正転で繰出ベルト２３と給紙ローラ２４を駆動し、逆転でレジストローラ対２６が駆動される。
【００２５】
搬送経路１２には大径の搬送ローラ２７とその搬送ローラ２７の周面に圧接された複数の従動ローラ２８、２９、３０が配置されており、搬送ローラ２７は搬送モータＭ２によって駆動されるように構成されている。
【００２６】
さらに、シート排紙装置４６は、搬送経路１２から第１の収納トレイ１８の排紙口に連なる第１の排紙経路１３、さらには、第１の収納トレイ１８の排紙口から給紙経路１１と搬送経路１２との接続部に連結されてシートを再び搬送経路１２に戻す循環経路１４と、第１の排紙経路１３と分岐して形成されて搬送経路１２からのシートを案内する中間経路１５と、この中間経路１５から第２の収納トレイ１９の排紙口に連なる第２の排紙経路１６とを有し、さらには、第２の排紙経路１６と分岐して形成されて中間経路１５からのシートをスイッチバックさせるスイッチバック経路１７ａと、スイッチバックされたシートを表裏反転して第２の収納トレイ１９の排紙口に導く反転経路１７ｂとから成るシート経路を有している。
【００２７】
シート排紙装置４６の第１の排紙経路１３には、搬送ローラ２７に圧接された従動ローラ３１とシートを第１の収納トレイ１８に排紙する第１の排紙ローラ対３２、圧接ソレノイドＳＯＬ２が配置されている。この第１の排紙ローラ対３２は正逆転可能な第１の排紙モータＭ３に連結されており、両面モード読み取りの場合には、シートの後端側をニップした状態で逆回転してシートをスイッチバックして循環経路１４を介して搬送経路１２に送るように制御される。また、排紙ローラ対３２は循環経路１４、搬送経路１２を介して循環されるシートの先後端がすれ違う際に支障なく搬送できるように圧接ソレノイドＳＯＬ１によって一方のローラ３２ｂから他方のローラ３２ａが離間するように構成されている。
【００２８】
また、中間経路１５には下流にシートを送る中間ローラ対３３が配置され、第２の排紙経路１６には第２の収納トレイ１９にシートを排紙する第２の排紙ローラ対３５が配置されている。また、スイッチバック経路１７ａにはシートをスイッチバックさせ反転経路１７ｂを介して第２の排紙ローラ対３５に送るスイッチバックローラ対３４が配置されている。
【００２９】
さらに、給紙トレイ１０のシート給紙方向下流側には、給紙トレイ１０上にシートが載置されたことを検出するエンプティセンサＳ１が設けられ、さらに、給紙経路１１においては給紙されるシートの端部を検知するレングスセンサＳ２、及びレジストセンサＳ３が設けられている。さらに、第１のコンタクトガラス１ａの手前にはリードセンサＳ４、第１の収納トレイ１８の排紙口には第１の排出センサＳ５、中間経路１５には中間センサＳ６、第２の収納トレイ１９の排紙口の近傍には第２の排紙センサＳ７、スイッチバック経路１７ａにはスイッチバックセンサＳ８がそれぞれ設けられており、これらのセンサは送られるシートのシート端を検知する。
【００３０】
上記の各センサＳ１乃至Ｓ８は、シートの搬送を制御するためのＣＰＵ等を含む制御手段に接続されており、各センサからの出力信号に基づいて上述した各モータＭ１、Ｍ２、Ｍ３、及びソレノイドＳＯＬ１、ソレノイドＳＯＬ２が制御されシートの送り動作が実行される。
【００３１】
次に、上記構成からなる自動原稿送り装置Ａのシート送り動作を説明する。
最初に、シートの片面のみを読み取る片面モードにおける動作ついて説明する。エンプティセンサＳ１が「ＯＮ」状態、すなわち給紙トレイ１０上にシートが載置されたことが検知され、さらに、画像読取装置本体Ｈから給紙指令を受信したならば、給紙モータＭ１が正回転され、シートが給送される。このとき、繰出ベルト２３と給紙ローラ２４は、シート送り方向に回転されるが、レジストローラ対２６はワンウエイクラッチＯＷ２の作用によって回転しない。そして、レジストセンサＳ３が給送されたシートの先端を検知すると、その検知した時点からシートを所定量搬送した後に給紙モータＭ１は一旦停止される。このとき、シートの先端はレジストローラ対２６のニップ部に突き当てられてたわみが形成され、これにより、シートの先端が整合されスキューが除去される。そして、この一旦停止後、給紙モータＭ１は逆転駆動され、シートは給紙経路１１から搬送経路１２に給紙される。
【００３２】
搬送モータＭ２は、給紙モータＭ１の逆回転駆動と同時に駆動され、これにより給紙経路１１を搬送されるシートは搬送ローラ２７に沿って搬送されることになる。そして、搬送経路１２を搬送されるシートの先端がリードセンサＳ４で検出されると、その後に所定量搬送して給紙モータＭ１及び搬送モータＭ２は停止される。このとき、シートは第１のコンタクトガラス１ａの手前の位置に停止することとなる。そして、装置本体Ｈからの読取搬送信号を受けると搬送モータＭ２が再駆動して、シートを第１のコンタクトガラス１ａ上を通過させる。この際、シートの表面が読取手段によって読み取られる。
【００３３】
この第１のコンタクトガラス１ａにシートを搬送する過程において、搬送されるシートの先端がリードセンサＳ４で検出されてから所定量搬送した後に給紙モータＭ１及び搬送モータＭ２を停止させた時点、つまりシートの先端が第１のコンタクトガラス１ａの手前の位置に到達した時にレングスセンサＳ２の出力信号によって、以降のシートの送り動作を選択して排紙する。
【００３４】
レングスセンサＳ２の出力信号が「ＯＮ」、つまりシートがレングスセンサＳ２の位置にある場合は、シートは長いサイズ（所定の長さより長いシート）と認識し、第１の収納トレイ１８にシート排紙するように制御される。つまり、シートは長いサイズであると認識すると、第２のソレノイドＳＯＬ２を励磁してフラッパ４０を第１の収納トレイ１８に案内する位置に移動するとともに、第１の排紙モータＭ３を正回転方向に駆動し第１の排紙ローラ対３２を正方向に回転する。これにより搬送ローラ２７によって第１のコンタクトガラス１ａを通過したシートは第１の排紙経路１３に沿って第１の収納トレイ１８に排出される。そして、第１の排紙センサＳ５にてシートの後端を検出した後所定時間経過するとシートが完全に第１の収納トレイ１８上に排出されたものと認識する。
【００３５】
レングスセンサＳ２の出力信号が「ＯＦＦ」、つまりシートがレングスセンサＳ２の位置にない場合には、シートは短いサイズ（所定の長さより短いシート）と認識し、フラッパ４０を通常位置に維持したままで、第１の排紙モータＭ３を正転方向に駆動して中間ローラ３３を回転させる。これにより、第１のコンタクトガラス１ａを通過したシートは中間経路１５に案内され、中間ローラ３３、第２の排紙ローラ３５にて第２の排紙経路１６を介して第２の収納トレイ１９に排出される。
【００３６】
このとき、中間経路１５を搬送されるシートの先端が中間センサＳ６で検知されると第２の排紙モータ（図示せず）が正回転駆動され、第２の排紙ローラ対３５が回転するように制御される。そして、第２の排紙センサＳ７にてシートの後端を検出した後所定時間経過するとシートが完全に第２の収納トレイ１９に排出されたと認識する。なお、片面モードでは、このシートが搬送経路１２を搬送される過程で、レジストセンサＳ５がシートの後端を検知すると、給紙トレイ１０上のシートの有無を確認し、次のシートがある場合、先のシートと同様に次のシートの給紙動作を開始するように制御されている。
【００３７】
収納トレイ１９に排紙されるシートは多少のスキュー状態で排紙されるので、阻止部６１の阻止面６１ａには、シートの一端側が突き当ることとなる。
【００３８】
シートの一端側が阻止面６１ａに突き当ると、シートは突き当った一端側を支点として回転しながら跳ね返ることとなる。
【００３９】
ここで、本発明のシート排紙装置４６における収納トレイ１９の構成と動作について説明する。図３は、収納トレイ１９の平面図であり、図４は、収納トレイ１９の側面図である。
【００４０】
収納トレイ１９のシート排紙方向下流側には、シートの先端が突き当って移動が阻止される阻止部６１が形成されている。さらに、阻止部６１のシート幅方向の略中央部には、排紙方向に向かって上方に湾曲傾斜する傾斜面を有する当接部６２が形成されている。
【００４１】
この当接部６２は、収納トレイ１９の後端側の平面部６３から阻止部６１の上部に向けて除々にせり上がり排紙方向に向かって上方に湾曲傾斜した当接面６２ａを形成している。
【００４２】
このように、収納トレイ１９に阻止部６１と当接部６２を形成することによって、排紙ローラ対３５から排紙されたシートの先端は、排紙されたシートのスキューに関係なく、その略中央位置が当接部６２の当接面６２ａに突き当たることとなる。
【００４３】
また、高速で排紙されるシートについては、そのシートの略中央位置が当接部６２の当接面６２ａに突き当たり、当接部６２の当接面６２ａの傾斜に摺接して移動され、当接面６２ａ傾斜を乗り越えた排紙シートの先端が阻止部６１の阻止面６１ａに突き当たって、シートの移動が阻止されて停止する。
【００４４】
この際に、排紙シートの略中央位置が当接部６２の当接面６２ａに当接するため、シートの跳ね返り方向及び跳ね返り量がシートの状態によって大きく異なることがなくなる。さらに傾斜した当接面６２ａによってシートの突き当たりの衝撃が緩和されて、跳ね返り量が小さくなるので、収納されたシートのばらつきが少ない。
【００４５】
また、高速で排紙されるシートであっても、当接部６２の傾斜した当接面６２ａによってシートの排紙速度は減速されて阻止部６１の当接面６２ａに突き当たるので、シートの跳ね返り量も小さくなり、シートの整列性が良好となる。
【００４６】
なお、当接部６２の当接面６２ａは、その幅が小さい程排紙シート収納時のばらつきを少なくできるが、本実施例ではシートが突き当る際の衝撃によるシートの損傷を考慮し、当接面６２ａの幅を１０ｍｍに形成している。
【００４７】
さらに、収納トレイ１９は、装置をコンパクトにするため、シートの収納範囲を極力シートサイズに近く設定している。すなわち、収納されるシートサイズに対するシート収納領域のマージンを小さくしているためシートの整列性が良好となる。
【００４８】
上記の実施例では、阻止部６１とシートの阻止面６１ａを垂直面としたが、図５に示すように収納トレイ１９の平面部６３から除々にせり上がる傾斜面６１ｂとしてもよい。これによって、排紙シートの端部が阻止部６１の傾斜面６１ｂに突き当る際の衝撃が緩和されて、さらに排紙シートの整列性が向上する。
【００４９】
また、図６に示すように、阻止部６１の略中央部に除々にせり上がる傾斜面６４ａを有する補助当接部６４を形成し、その補助当接部６４に傾斜面６４ａを形成してもよい。これによって、当接部６２の傾斜した当接面６２ａを摺動されるシートが途中から補助突当部６４の傾斜面６４ａに摺接するので、その摺動抵抗が増大する。これにより、さらに排紙シートが減速されて阻止部６１を乗り越えることがなくなる。
【００５０】
さらに、図３に示すように、当接部６２のシート幅方向の両側に傾斜した傾斜面を有する支持部６５、６６を形成してもよい。これによって収納トレイ１９上に収納されたシートの先端側が支持部６５、６６の傾斜面に沿って湾曲して積載支持されるので、排紙中の排紙シートが先に収納済みのシートに接触するようなことがあっても、先に収納済みのシートがずれることがなくなる。
【００５１】
なお、本実施例では、収納トレイに阻止部６１、当接部６２を形成したが、阻止部６１、当接部６２と同様なものを別部材として収納トレイ１９に取り付けてもよい。
【００５２】
以上、詳しく説明したように、本発明は、シート排紙手段と、シート排紙手段から順次排紙されてくるシートを収納する収納トレイとを備えるシート排紙装置であって、収納トレイは、シート排紙方向下流側に設けられ、排紙されたシートの先端側中央部と当接する当接手段と、当接手段からさらにシート排紙方向下流側に設けられ、排紙されたシートの移動を阻止する阻止手段とを備えた。
【００５３】
これにより、本シート排紙装置においては、排紙されたシートの略中央が当接部に突き当たった後に、シートの先端が阻止面に突き当たってシートが停止されるので、高速でシートを排紙しても収納トレイに収納されるシートがばらつくことがなく、良好な排紙整列性が得ることができたのである。
【図面の簡単な説明】
【図１】画像読取装置に搭載された自動原稿送り装置の全体構成の側面図を示す。
【図２】シート給紙装置における要部の機構の側面図を示す。
【図３】本発明に係る収納トレイの平面図を示す。
【図４】本発明に係る収納トレイの側面図を示す。
【図５】本発明に係る他の形態例の収納トレイ側面図を示す。
【図６】本発明に係る他の形態例の収納トレイ側面図を示す。
【符号の説明】
１８　第１の収納トレイ
１９　第２の収納トレイ
２４　給紙ローラ
２５　分離ローラ
３５　排紙ローラ対
４６　シート排紙装置
６１　阻止部
６１ａ　阻止面
６２　当接部
６２ａ　当接面
６３　平面部
６５、６６　支持部
Ａ　自動原稿送り装置
Ｍ１　給紙モータ
Ｍ３　第１の排紙モータ
【図１】
2004026370.tif 000003
【図２】
2004026370.tif 000004
【図３】
2004026370.tif 000005
【図４】
2004026370.tif 000006
【図５】
2004026370.tif 000007
【図６】
2004026370.tif 000008